(57)【要約】【課題】インクジェット記録装置での印刷時において用紙のサイドカールを減少する。【解決手段】用紙Ｐの搬送経路上に設けられ、用紙Ｐにインクを吐出して記録情報に応じた画像を形成する記録ヘッド３０と、搬送経路を挟んで記録ヘッド３０と対向する位置に配置され、複数の吸引孔４０ｂが形成されたプラテン４０と、複数の吸引孔４０ｂを通して用紙Ｐを用紙支持面４０ａに負圧吸引する吸気ファン６０と、用紙Ｐの搬送方向Ａに交差する方向に対して負圧量を変更する移動部材７０と、用紙Ｐがプラテン４０に進入したならば、用紙Ｐに対して搬送方向Ａに交差する方向での端部に向けて負圧量を大きくしていくように移動部材７０の制御を行う制御部１０４を有する。【選択図】図４
2010228262.tif 000002
【特許請求の範囲】
【請求項１】
記録媒体の搬送経路上に設けられ、記録媒体にインクを吐出して記録情報に応じた画像を形成する形成手段と、
前記搬送経路を挟んで前記形成手段と対向する位置に配置され、記録媒体を複数の吸引孔で支持する支持手段と、
前記複数の吸引孔を通して記録媒体を前記支持手段に負圧吸引する吸引手段と、
記録媒体の搬送方向に交差する方向に対して負圧量を変更する変更手段と、
記録媒体の前記支持手段への進入に応じて、前記記録媒体に対して搬送方向に交差する方向での端部に向けて負圧量を大きくしていくように前記変更手段の制御を行う制御手段と、
を有することを特徴とするインクジェット記録装置。
【請求項２】
前記支持手段は、
記録媒体の搬送方向の上流側では、記録媒体の搬送方向に交差する方向の中央部が当該方向の端部よりも吸引孔が多く形成されている、
ことを特徴とする請求項１記載のインクジェット記録装置。
【請求項３】
前記支持手段は、
記録媒体の搬送方向に交差する方向の中央部から端部に向かうに従って吸引孔が少なくなるように形成されている、
ことを特徴とする請求項１記載のインクジェット記録装置。
【請求項４】
前記制御手段は、
記録媒体の大きさ、記録媒体の反り量、および記録情報から取得されるインク打込量の少なくとも何れかの条件に基づいて前記変更手段の制御を行う、
ことを特徴とする請求項１、２または３記載のインクジェット記録装置。
【請求項５】
前記変更手段は、前記吸引手段に吸引される空気の吸引領域を変化させるように平面方向に移動する移動部材である、
ことを特徴とする請求項１から４の何れかに記載のインクジェット記録装置。
【請求項６】
記録媒体を複数の吸引孔で支持する支持手段と、
前記複数の吸引孔を通して記録媒体を前記支持手段に負圧吸引する吸引手段と、
記録媒体の前記支持手段への進入に応じて、前記記録媒体に対して搬送方向に交差する方向での端部に向けて負圧量を大きくしていくように負圧量を変更する変更手段と、
を有することを特徴とする搬送装置。
【請求項７】
複数の吸引孔が形成されて記録媒体を負圧吸引する支持手段に記録媒体が進入したことを検知する過程と、
前記支持手段に記録媒体が進入したならば、搬送方向に交差する方向での記録媒体の端部に向けて負圧量を大きくして記録媒体の負圧吸引を行う過程と、
をコンピュータに実行させることを特徴とする処理プログラム。
【発明の詳細な説明】
【技術分野】
【０００１】
本発明は、インクジェット記録装置、搬送装置および処理プログラムに関するものである。
【背景技術】
【０００２】
インクを用紙（記録媒体の一例）に吐出して画像記録を行うインクジェット記録装置においては、用紙に対して非接触の記録ヘッドを用い、その記録ヘッドを用紙と相対的に移動させながらインクを吐出させ、画像を記録するようにしているものがある。
【０００３】
ここで、高画質記録を行うためには、記録ヘッドと用紙とのギャップを規定レベルに保持することが条件となる。このギャップが許容値を超えると、インクと吐出方向が変化し、着弾ズレとなって画質低下の原因となる。また、ギャップが少ないと記録ヘッドと用紙とが接触し、ヘッド故障の原因にもなる。
【０００４】
こうした記録ヘッドと用紙とのギャップを規定レベルに保つ手段として、記録ヘッドと対向する位置に配置されて、画像の記録時に用紙を負圧吸引して平坦に支持するプラテン（支持手段の一例）を用い、用紙をプラテンに密着させることによりカール（反り）を減少させ、記録ヘッドと用紙を近接させつつ用紙の浮きを抑えることが行われている。
【０００５】
なお、インクジェット記録装置におけるカール減少技術については、例えば特開２０００−１５３６０４号公報や特開２００２−２０５８５５号公報に開示がある。
【先行技術文献】
【特許文献】
【０００６】
【特許文献１】特開２０００−１５３６０４号公報
【特許文献２】特開２００２−２０５８５５号公報
【発明の概要】
【発明が解決しようとする課題】
【０００７】
本発明は、本構成を採用しない場合に比べて、印刷時において記録媒体の搬送方向に交差する方向のカールを減少できるインクジェット記録装置、搬送装置および処理プログラムを提供することを目的とする。
【課題を解決するための手段】
【０００８】
上記課題を解決するため、請求項１に記載の本発明のインクジェット記録装置は、記録媒体の搬送経路上に設けられ、記録媒体にインクを吐出して記録情報に応じた画像を形成する形成手段と、前記搬送経路を挟んで前記形成手段と対向する位置に配置され、記録媒体を複数の吸引孔で支持する支持手段と、前記複数の吸引孔を通して記録媒体を前記支持手段に負圧吸引する吸引手段と、記録媒体の搬送方向に交差する方向に対して負圧量を変更する変更手段と、記録媒体の前記支持手段への進入に応じて、前記記録媒体に対して搬送方向に交差する方向での端部に向けて負圧量を大きくしていくように前記変更手段の制御を行う制御手段と、を有することを特徴とする。
【０００９】
請求項２に記載の発明は、上記請求項１に記載の発明において、前記支持手段は、記録媒体の搬送方向の上流側では、記録媒体の搬送方向に交差する方向の中央部が当該方向の端部よりも吸引孔が多く形成されている、ことを特徴とする。
【００１０】
請求項３に記載の発明は、上記請求項１記載の発明において、前記支持手段は、記録媒体の搬送方向に交差する方向の中央部から端部に向かうに従って吸引孔が少なくなるように形成されている、ことを特徴とする。
【００１１】
請求項４に記載の発明は、上記請求項１、２または３に記載の発明において、前記制御手段は、記録媒体の大きさ、記録媒体の反り量、および記録情報から取得されるインク打込量の少なくとも何れかの条件に基づいて前記変更手段の制御を行う、ことを特徴とする。
【００１２】
請求項５に記載の発明は、上記請求項１から４の何れかに記載の発明において、前記変更手段は、前記吸引手段に吸引される空気の吸引領域を変化させるように平面方向に移動する移動部材である、ことを特徴とする。
【００１３】
上記課題を解決するため、請求項６に記載の本発明の搬送装置は、記録媒体を複数の吸引孔で支持する支持手段と、前記複数の吸引孔を通して記録媒体を前記支持手段に負圧吸引する吸引手段と、記録媒体の前記支持手段への進入に応じて、前記記録媒体に対して搬送方向に交差する方向での端部に向けて負圧量を大きくしていくように負圧量を変更する変更手段と、を有することを特徴とする。
【００１４】
上記課題を解決するため、請求項７に記載の本発明の処理プログラムは、複数の吸引孔が形成されて記録媒体を負圧吸引する支持手段に記録媒体が進入したことを検知する過程と、前記支持手段に記録媒体が進入したならば、搬送方向に交差する方向での記録媒体の端部に向けて負圧量を大きくして記録媒体の負圧吸引を行う過程と、をコンピュータに実行させることを特徴とする。
【発明の効果】
【００１５】
請求項１記載の発明によれば、印刷時において記録媒体の搬送方向に交差する方向のカールを減少させることができる。
【００１６】
請求項２記載の発明によれば、支持手段に記録媒体が進入したときに確実に中央部から先に吸引させるようにすることができる。
【００１７】
請求項３記載の発明によれば、支持手段に記録媒体が進入したときに確実に中央部から先に吸引させるようにすることができる。
【００１８】
請求項４記載の発明によれば、請求項１の場合に比べて、負圧量の制御をより緻密に行うことができる。
【００１９】
請求項５記載の発明によれば、大きなスペースを要することなく負圧量の制御ができる。
【００２０】
請求項６記載の発明によれば、印刷時において記録媒体の搬送方向に交差する方向のカールを減少させることができる
【００２１】
請求項７記載の発明によれば、印刷時において記録媒体の搬送方向に交差する方向のカールを減少させることができる。
【図面の簡単な説明】
【００２２】
【図１】本発明の一実施の形態であるインクジェット記録装置につき一部を切り欠いて示す斜視図である。
【図２】図１のインクジェット記録装置の記録部を側方から示す概略図である。
【図３】（ａ）は図１のインクジェット記録装置のプラテンに用紙が進入したときの状態を平面から示す概略図、（ｂ）は（ａ）の状態を正面から示す概略図である。
【図４】（ａ）は図１のインクジェット記録装置のプラテンで用紙が吸着されたときの状態を平面から示す概略図、（ｂ）は（ａ）の状態を正面から示す概略図である。
【図５】本発明の一実施の形態であるインクジェット記録装置のブロック図である。
【図６】本発明の一実施の形態であるインクジェット記録装置の移動部材の移動位置を記憶する記憶部に格納されたパラメータテーブルの一例を示す図である。
【図７】本発明の一実施の形態であるインクジェット記録装置による負圧制御処理を示すフローチャートである。
【図８】本実施の形態に係るインクジェット記録装置のハードウェア構成を示すブロック図である。
【図９】本実施の形態に係るインクジェット記録装置のプラテンの変形例を示す平面図である。
【図１０】本実施の形態に係るインクジェット記録装置の移動部材の変形例を示す概略図である。
【図１１】本実施の形態に係るインクジェット記録装置のプラテンの変形例を示す平面図である。
【発明を実施するための形態】
【００２３】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２４】
図１に示すインクジェット記録装置１は、装置本体１０に対して傾斜した状態で取り付けられた収容トレイ１２に収容されている用紙（記録媒体の一例）Ｐを、画像記録時において搬送方向Ａに送る用紙搬送機構２０により、記録ヘッド（形成手段の一例）３０および吸気ファン６０により用紙Ｐを用紙支持面（記録媒体支持面の一例）４０ａに負圧吸着により用紙を平坦化するプラテン（支持手段の一例）４０からなる記録部に送り込み、記録後の用紙Ｐを用紙排出口１１から装置本体１０外へ排出する構造となっている。
【００２５】
用紙搬送機構２０は、収容トレイ１２に収容されている用紙Ｐを１枚ずつ送り出すフィードロール２１、用紙Ｐを記録ヘッド３０とプラテン４０との間に送り込む送り込みロール２２、記録後の用紙Ｐをプラテン４０から送り出す送り出しロール２３、送り出しロール２３で搬送される用紙Ｐを用紙排出口１１から装置外へ排出する排出ロール２４、これら各ロール間等の所定部位に配設される搬送ガイド板２５等にて構成されている。
【００２６】
用紙搬送機構２０には、図２に示すように、用紙押さえ部材２６が設けられている。用紙押さえ部材２６は、支点２６ａを中心にして図中矢印Ｂ，Ｃ方向に自由に揺動し、その先端部側が回転自在な回転体２６ｂを介して送り込みロール２２の上部に圧接する構造になっており、これにより、記録時に供給される用紙Ｐを確実に送り込みロール２２を経てプラテン４０側に送り込むようにするものである。なお、図２中の一点鎖線Ｒは用紙搬送機構２０により搬送される用紙Ｐの搬送経路を示す。また、本願における搬送装置とは、用紙Ｐの搬送経路を構成する構成要素である部材を指す。
【００２７】
記録ヘッド３０は、用紙Ｐの搬送方向Ａと交差する方向（以下「主走査方向」ともいう）Ｄ，Ｅに沿って平行な状態で配設された案内棒３１ａに摺動するように支持されて走行するキャリッジ３１に搭載されており、そのキャリッジ３１が走査用駆動モータ３２により回転することにより用紙Ｐに対する画像形成タイミングに合わせてキャリッジ３１を移動させるタイミングベルト３３によって案内棒３１ａ上をスライド移動するようになっている。
【００２８】
記録ヘッド３０はキャリッジ３１に対して着脱するように装着されるカートリッジ式の単数または複数のインクタンク３４を備え、インクタンク３４から供給される各インクを印刷データ（記録情報の一例）の信号に応じて微小なインク滴として用紙Ｐに吐出することにより当該記録情報に応じた画像を形成するためのヘッドノズルを備えている。
【００２９】
なお、本願でのインクとは、液体であることをいい、その粘度がどの程度であるかは問わない。
【００３０】
プラテン４０は、用紙搬送経路Ｒを挟んで記録ヘッド３０と対向する位置に配設されており、用紙Ｐを用紙支持面４０ａに負圧吸着してこれを支持するための複数の吸引孔４０ｂが用紙支持面４０ａに開口して形成された板状の部材である。このプラテン４０における用紙Ｐの搬送方向Ａの寸法は記録ヘッド３０による記録幅に応じて設定され、また、その搬送方向Ａと直交する方向Ｅ，Ｄの幅寸法は、使用する用紙Ｐの搬送方向Ａと直交する方向Ｅ，Ｄの幅寸法（以下、単に「搬送時の幅寸法」ともいう）Ｗの最大幅よりも大きな所定の値に設定される。
【００３１】
なお、図３（ａ）、図４（ａ）に示すように、プラテン４０に形成された吸引孔４０ｂは、用紙Ｐの搬送方向Ａの上流側では、この搬送方向Ａに交差する方向の中央部が当該方向の端部よりも多く形成されている。
【００３２】
ここで、本願において、プラテン４０や用紙Ｐの搬送方向Ａに交差する方向の中央部とは端部に対応する概念であり、プラテン４０や用紙Ｐの当該方向での真ん中を限定的に指すものではない。
【００３３】
図３に示すように、プラテン４０の用紙支持面４０ａにはインク受け４０ｃが設けられている。このインク受け４０ｃは、縁なし印刷を行った際に用紙Ｐに打ち込まれなかったインクを吸い取ってプラテン４０が汚れないようにするための部材であり、吸引孔４０ｂを閉塞しない位置に設けられている。インク受け４０ｃの長手方向がプラテン４０の用紙の搬送方向に沿っており、図３（ａ）において左右の外側に位置する一対が例えばＡ４用紙に対応し、内側に位置する一対が例えばＢ５用紙に対応している。なお、用紙ＰのＡ４判やＢ５判は一例であり、これらに限定されるものではない。
【００３４】
プラテン４０には、記録時の用紙Ｐをプラテン４０の用紙支持面４０ａに吸引吸着させる吸引力を発生させるため、その下面側に吸気ダクト５０を介して吸気ファン（吸引手段の一例）６０が配設されている。図３（ｂ）、図４（ｂ）に示すように、吸気ファン６０は用紙Ｐの搬送方向Ａと交差する方向に沿って３台並ぶように、両端および中央部に配置されている。
【００３５】
吸気ダクト５０は、プラテン４０の下面面積とほぼ同等の面積からなる上部開口を有する中空構造の箱体である。また、吸気ファン６０は、その吸気ダクト５０の下面部に取り付けられており、記録時に作動するようになっている。そして、吸気ファン６０が作動すると、前述した吸引孔４０ｂを通して用紙Ｐが用紙支持面４０ａに負圧吸引される。
【００３６】
さらに、吸気ダクト５０の下方で当該吸気ダクト５０と吸気ファン６０との間には板状の移動部材（変更手段の一例）７０が設置されている。図３（ｂ）に示すように、この移動部材７０は用紙Ｐの搬送方向Ａと交差する方向で対向配置された一対の部材で構成され、当該移動部材７０の片面の全体でダクトの両端を遮蔽する位置が原点位置となっている。移動部材７０は、例えばモータで回転するベルトに駆動されており、図示しないガイドレールに保持されて用紙Ｐの搬送方向Ａと交差する方向に沿って外側に移動するようになっている。
【００３７】
移動部材７０は、用紙Ｐがプラテン４０に進入したならば、制御部１０４（図５）により原点位置から外側に移動されるようになっており、これによって、用紙Ｐに対して搬送方向Ａに交差する方向での端部に向けて負圧量が大きくなっていく。
【００３８】
したがって、図３に示すように、プラテン４０に進入した用紙Ｐ（ここでは、用紙Ｐの搬送方向Ａに沿った方向（用紙の横方向）でカール（サイドカール）したものを示している）は、搬送方向Ａに交差する方向での中央部がまず最初に負圧吸引される。このときには、図示するように、中央部の負圧量が、端部の負圧量よりも大きくなっている。つまり、用紙Ｐは中央部の吸引力が強くなっている。
【００３９】
その後、図４に示すように、移動部材７０を前述のように端部に向けて移動させることにより負圧量は中央部よりも端部の方が大きくなっていき、これに伴って用紙Ｐの吸引力は中央部から端部に向けて強くなっていく。これにより、用紙Ｐは端部に向けてプラテン４０の用紙支持面４０ａに負圧吸引されていき、最終的には、搬送方向Ａに交差する方向での全幅に亘って吸引されることになる。なお、全幅に亘って吸引された状態では、搬送方向Ａに交差する方向での吸引力は幅方向のどの位置でもほぼ同じである。
【００４０】
ここで、本実施の形態のインクジェット記録装置においてこのように中央部から端部へと広がっていくような吸引形態を採用したのは、次のような理由による。
【００４１】
すなわち、プラテン４０の用紙支持面４０ａの全面に亘って複数の吸引孔４０ｂを形成し、移動部材７０のような変更手段を用いることなく吸気ファン６０でこれら吸引孔４０ｂを一斉に吸引して用紙を吸着する構造では、普通紙等のようにコシの弱い用紙だと、プラテン４０に進入したならば吸着されてカールが減少される場合が多い。
【００４２】
しかしながら、当該構造では、厚紙（例えば、写真用の用紙）のようにコシの強い用紙等では、プラテン４０に吸着されない部分が発生してカールが減少されない場合がある。特に、サイドカールの場合にその傾向が強い。これは、サイドカールの発生した用紙Ｐの全幅に亘って一斉に吸引しようとすると、吸気ファン６０の吸着力が発散してしまい、カール部分の吸引力が弱くなってしまうからである。
【００４３】
そこで、本実施の形態のインクジェット記録装置では、上述のように移動部材７０を移動させることで負圧量をコントロールし、用紙Ｐの搬送方向Ａに交差する方向での中央部から端部へと向けて負圧吸引することで、用紙Ｐにサイドカールがあってもプラテン４０に吸着されない部分がないようにした。
【００４４】
なお、移動部材７０は、後述するように用紙Ｐの幅（例えばＡ４用紙幅、Ｂ５用紙幅など）に合わせて制御部１０４により移動量が制御される（図４（ｂ）参照）。
【００４５】
また、用紙Ｐの搬送方向Ａに交差する方向に対して端部に向けて負圧量が大きくなるものであれば、変更手段としては、本実施の形態のように空気の吸引領域を変化させる移動部材７０には限定されず、例えば板状体の角度が変化することで風の配向を変化させる変化部材（変更手段の一例）を設け、吸引される吸引孔４０ｂを変えるように制御してもよい。但し、移動部材７０であれば、平面方向への移動だけでよく、大きなスペースを要しない。
【００４６】
なお、本実施の形態では移動部材７０は吸気ダクト５０の下方に設置されているが、プラテン４０の下面側に設置して、一部の吸引孔４０ｂを塞ぐようになっていてもよい。
【００４７】
次に、本実施の形態のインクジェット記録装置の機能構成について、図５を参照して説明する。
【００４８】
インクジェット記録装置１は、データ受信部１０１、画像処理部１０２、記録ヘッド３０、制御部（制御手段の一例）１０４、移動部材７０、検知部１０５、操作・表示パネル１０６、移動部材の移動位置を記憶する記憶部１０７を有している。検知部１０５は、プラテン４０に進入した用紙Ｐを検知する用紙位置センサ１０５ａと用紙Ｐの種類（例えば用紙の大きさ・カール量（反り量）など）を検知する用紙種センサ１０５ｂを備えている。なお、用紙種センサ１０５ｂとは、物理的な測定行為により検知するセンサのみならず、例えば用紙の大きさについては、収容トレイ１２において用紙Ｐの側端を規制するガイドの位置から大きさを検知するセンサ、操作者が設定した内容から用紙Ｐの大きさを検知するセンサなど、例えばカール量については、両面印刷の第２面目について第１面目の印刷データ（記録情報）から取得されるインク打込量（インク打込量が少ないとカールが大きくなる）からソフト的に検知するセンサなどでもよい。また、用紙Ｐの種類は大きさあるいはカール量の何れかでもよく、さらに例えば用紙の厚みなど、他の項目があってもよい。
【００４９】
データ受信部１０１は、印刷データを生成するパソコンなどのホストコンピュータ２とのインターフェースとして動作し、当該ホストコンピュータ２との間でデータの送受信を行う。また、データ受信部１０１は、データの受信を開始した場合にその受信データを制御部１０４に渡す。さらに、データ受信部１０１は、制御部１０４からのデータ処理先変更指示に基づき、受信データの渡し先を画像処理部１０２に変更する。
【００５０】
制御部１０４は、データ受信部１０１が受信したホストコンピュータ２からのデータ（受信データ）の解析を行い、この解析した結果、受信データが印刷データであればデータの渡し先を画像処理部１０２に変更するべくデータ受信部１０１に指示を出す。また、制御部１０４は、操作・表示パネル１０６に対し実行中の処理内容表示などの表示情報を提供するとともに、操作者の入力操作によって操作・表示パネル１０６に入力された指示を受け取る。
【００５１】
また、制御部１０４は、用紙種センサ１０５ｂから検知情報を受け取って移動部材７０の移動位置を決定し、用紙位置センサ１０５ａから検知情報を受け取って移動部材７０を移動させる。
【００５２】
具体的には、制御部１０４は、記憶部１０７に記憶されたパラメータテーブル（図６）に基づいて移動部材７０の移動位置を決定し、決定した移動位置になるように移動部材７０を駆動するモータを制御する。また、制御部１０４は、このような移動部材７０の移動を、用紙位置センサ１０５ａによりプラテン４０に用紙Ｐが進入したことが検知されたときに行う。
【００５３】
ここで、図６に示すように、パラメータテーブルには、用紙種（例えば用紙の大きさ・用紙の左右（搬送方向Ａに交差する方向）でのカール量）、および用紙種に対応した移動部材７０の移動位置（左右の移動部材の移動位置）が規定されている。したがって、用紙種である大きさやカール量といった条件が取得されたならば移動部材７０の移動位置が決定される。
【００５４】
なお、図６において、移動部材の移動位置「全開」とは例えば装置が対応する最大の大きさの用紙（ここでは、Ａ４判）の端部位置が負圧吸引される位置であり、本実施の形態では例えば図４に示す位置である。また、「閉」とは例えば図３に示す原点位置である。また、「半開」とは例えば最大の大きさより小さい用紙（ここでは、Ｂ５判）の端部位置が負圧吸引される位置であり、本実施の形態では例えば図３に示す位置と図４に示す位置との中間位置である。
【００５５】
また、図６において、移動部材の移動位置には用紙のカール量も考慮されるようになっており、カール量が大きければ移動部材７０が「全開」または「半開」となり、小さければ（あるいは、カールがなければ）移動部材７０は「閉」となって移動しない。
【００５６】
なお、図６に示すテーブルは一例に過ぎず、図６に示す内容以外のテーブルであってもよい。
【００５７】
画像処理部１０２は、データ受信部１０１からデータを入力して処理を行い、記録ヘッド３０に印刷データを出力する。
【００５８】
記録ヘッド３０は、画像処理部１０２から出力された印刷データに基づいて、用紙Ｐ上に画像を印刷する。
【００５９】
操作・表示パネル１０６は、操作者が操作することにより制御部１０４に対し操作指示を提供し、制御部１０４からの実行中の処理内容表示などの表示情報を受け取り表示する。
【００６０】
次に、このインクジェット記録装置の動作について説明する。
【００６１】
まず、用紙Ｐに対する画像形成の開始指令がホストコンピュータ２から入力されると、用紙搬送機構２０のフィードロール２１、送り込みロール２２等が回転駆動して、収容トレイ１２に収容されている用紙Ｐを１枚ずつ送り出し、記録ヘッド３０とプラテン４０の間となる記録部に送り込むように搬送する。一方、プラテン４０においては吸気ファン６０が始動する。これにより、プラテン４０が用紙Ｐを負圧吸引する状態になる。
【００６２】
続いて、プラテン４０に用紙Ｐが進入すると移動部材７０が前述のように移動して用紙Ｐがプラテン４０の用紙支持面４０ａに吸引吸着され、密着した状態に保たれながら（つまり、サイドカールが減少されながら）搬送される。これと同時に、記録ヘッド３０が用紙Ｐの上方を主走査方向Ｄ，Ｅに移動しながら、その用紙Ｐに対しインク滴を白黒画像またはカラー画像に対応して吐出する。これにより、用紙Ｐへインクジェットによる画像記録が行われる。
【００６３】
画像形成が終了した後の用紙Ｐは、用紙搬送機構２０の送り出しロール２３によりプラテン４０から送り出され、排出ロール２４により用紙排出口１１から装置外へ排出される。
【００６４】
ここで、制御部１０４による用紙Ｐのプラテン４０における負圧の制御処理について説明する。
【００６５】
図７において、制御部１０４は、用紙種センサ１０５ｂから用紙種の情報を取得し（ステップＳ１１）、パラメータテーブル（図６）を参照して、移動部材７０の移動位置を決定する（ステップＳ１２）。すなわち、例えば、用紙の大きさがＡ４で、カール量が左右ともに「大」のとき、移動部材７０の移動位置は左右ともに「全開」と決定される。
【００６６】
移動部材７０の移動位置が決定されたならば、制御部１０４は、用紙位置センサ１０５ａにより用紙Ｐがプラテン４０に進入したかどうかを検知し（ステップＳ１３）、進入したならば（つまり、用紙Ｐの位置が図３に示すようになったならば）、移動部材７０を移動させる（ステップＳ１４）。これにより、図４に示すように、移動部材７０が移動して用紙Ｐがプラテン４０の用紙支持面４０ａに吸引吸着されてサイドカールが減少され、その状態でインクジェットによる画像記録が行われる。
【００６７】
その後、制御部１０４、画像記録が終了して用紙Ｐがプラテン４０から出たことが用紙位置センサ１０５ａにより検知されたならば（ステップＳ１５）、移動部材７０を原点位置に復帰させる（ステップＳ１６）。
【００６８】
次に、本実施の形態に係るインクジェット記録装置のハードウェア構成について、図８を参照して説明する。
【００６９】
インクジェット記録装置１は、図８に示すように、ＣＰＵ２２１、記憶装置２２２、ＲＯＭ２２３、ＲＡＭ２２４、操作・表示パネル１０６、画像出力装置２２６、通信インターフェース（通信Ｉ／Ｆ）２２７、検知部１０５および移動部材７０などを備えている。
【００７０】
これらの構成要素はシステムバス２２８に接続されている。なお、記憶装置２２２および画像出力装置２２６は、それぞれに対応するインタフェース（図示せず）を介してシステムバス２２８に接続される。
【００７１】
記憶装置２２２は、例えばハードディスクで構成され、印刷処理（画像形成処理）の処理手順に対応するプログラムなどを記憶している。なお、記憶装置２２２には、少なくとも当該処理手順に対応した処理プログラム２２２Ａが記憶されている。
【００７２】
ＲＯＭ２２３は、読み出し専用メモリであり、印刷処理（画像形成処理）を実施する際に必要なパラメータ（例えば前述したパラメータテーブル）、コンピュータなど外部装置との通信を実施するための通信プロトコル情報が記憶されている。
【００７３】
ＲＡＭ２２４は、随時書き込み読み出しメモリであり、データ受信部の受信メモリに対応する記憶領域、作業するためのワーク領域が割り当てられている。
【００７４】
ＲＡＭ２２４において、上記ワーク領域には、記憶装置２２２から読み込まれたプログラム、ＲＯＭ２２３から読み込まれたパラメータやデータさらには通信プロトコル情報、操作・表示パネル１０６によって設定された設定情報、送受信されるデータなどが記憶され、データ受信部によって受信された印刷データ、ページ単位の画像データ（ビットマップ）などが記憶される。
【００７５】
画像出力装置２２６は、図５に示した記録ヘッド３０の機能を有し、画像データを基に印刷処理（画像形成処理）を実施する。
【００７６】
通信Ｉ／Ｆ２２７は、図５に示したデータ受信部１０１の機能を有し、通信回線を介して外部装置、例えばホストコンピュータ２との通信を行うインターフェースである。
【００７７】
ＣＰＵ２２１は、記憶装置２２２からＲＡＭ２２４に処理プログラム２２２Ａを含むプログラムを読み込んで実行することにより印刷処理を実施する。また、ＣＰＵ２２１は、インクジェット記録装置１の全体を制御する。
【００７８】
本実施の形態において、パラメータテーブルを含む処理プログラム（図７参照）を記録媒体としてのハードディスク等の記憶装置に記録するものとして説明したが、当該所定のプログラムを次のようにして提供してもよい。
【００７９】
たとえば、所定のプログラムをＲＯＭに格納しておき、ＣＰＵが、この所定のプログラムをこのＲＯＭから主記憶装置へローディングして実行するようにしてもよい。
【００８０】
また、上記所定のプログラムを、ＤＶＤ−ＲＯＭ、ＣＤ−ＲＯＭ、ＭＯ（光磁気ディスク）、フレキシブルディスク、などのコンピュータで読み取りされる記録媒体に格納して配布するようにしてもよい。
【００８１】
さらには、画像処理装置等を通信回線（例えばインターネット）を介してサーバ装置あるいはホストコンピュータと接続するようにし、サーバ装置あるいはホストコンピュータから上記所定のプログラムをダウンロードした後、この所定のプログラムを実行するようにしてもよい。この場合、この所定のプログラムのダウンロード先としては、ＲＡＭ等のメモリやハードディスクなどの記憶装置（記憶媒体）が挙げられる。
【００８２】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００８３】
たとえば、本実施の形態では、用紙種の情報は用紙種センサ１０５ｂにより取得しているが、操作者の入力操作によって操作・表示パネル１０６に入力するようにしてもよい。なお、操作・表示パネル１０６は、本実施の形態のようにインクジェット記録装置ではなく、ホストコンピュータ２側にあってもよい。
【００８４】
また、制御部１０４は、用紙位置センサ１０５ａによりプラテン４０に用紙Ｐが進入したことが検知されたならば、用紙種とは無関係に、単に移動部材７０を移動させるようにしてもよい。この場合には、用紙種センサ１０５ｂや図６に示すようなテーブルは不要であり、よって、ステップＳ１１およびステップＳ１２のプロセスは省略される。但し、用紙種を考慮に入れた方が、負圧量の制御はより緻密になる。
【００８５】
さらに、本実施の形態では、プラテン４０は、図３（ａ）および図４（ａ）に示すように、用紙Ｐの搬送方向Ａの上流側で、用紙Ｐの搬送方向Ａに交差する方向の中央部が当該方向の端部よりも吸引孔４０ｂが多く形成されているが、図９に示すように、吸引孔４０ｂは用紙支持面４０ａの全体に亘ってほぼ一様に形成されていてもよい。但し、図３（ａ）および図４（ａ）に示す吸引孔４０ｂでは、プラテン４０に用紙Ｐが進入したときに確実に中央部から先に吸引されるようになる。
【００８６】
そして、用紙Ｐの搬送方向Ａに交差する方向での端部に向けて負圧量が大きくなるようになっていればよく、本実施の形態のように移動部材７０が原点位置から外側に向かって移動するのではなく、図１０に示すように、原点位置から内側に向かって移動するようになっていてもよい。
【００８７】
また、図１１に示すように、吸引孔４０ｂは、用紙Ｐの搬送方向Ａに交差する方向の中央部の孔数を最も多くし、端部に向かうに従って少なくするようにしてもよい。このようにしても、用紙Ｐの搬送方向Ａに交差する方向での中央部から端部へと向けて負圧吸引されることで、用紙Ｐのサイドカールが減少される。
【産業上の利用可能性】
【００８８】
以上の説明では、本発明のインクジェット記録装置により画像が形成される記録媒体である用紙としては、インクジェット記録が行える様々のものが使用され、具体的には、定型または非定型からなる記録用紙、はがき、各種用紙、さらにはロール紙等などが使用される。搬送されるシートとしては、用紙やフィルム、はがき、現金など、シート状である様々なものが適用される。
【符号の説明】
【００８９】
１  インクジェット記録装置
３０  記録ヘッド
４０  プラテン
４０ａ  用紙支持面
４０ｂ  吸引孔
４０ｃ  インク受け
５０  吸気ダクト
６０  吸気ファン
７０  移動部材
１０１  データ受信部
１０２  画像処理部
１０４  制御部
１０５  検知部
１０５ａ  用紙位置センサ
１０５ｂ  用紙種センサ
１０６  操作・表示パネル
１０７  記憶部
Ａ  搬送方向
Ｐ  用紙
【図１】
2010228262.tif 000003
【図２】
2010228262.tif 000004
【図３】
2010228262.tif 000005
【図４】
2010228262.tif 000006
【図５】
2010228262.tif 000007
【図６】
2010228262.tif 000008
【図７】
2010228262.tif 000009
【図８】
2010228262.tif 000010
【図９】
2010228262.tif 000011
【図１０】
2010228262.tif 000012
【図１１】
2010228262.tif 000013